(57)【要約】本発明の対象は、車両データを無線伝達するための方法であって、この方法では、データ送出のために設けられている車両データが記憶媒体内に記憶され、車両データ検出の枠内で読み出され、伝送される。走行開始時には、データ送出のために設けられている車両データが記憶媒体内に記憶され又は後の読み出しのために提供され、走行終了時には、走行開始時に記憶装置内に記憶及び／又は提供されているデータの変更及び／又は追加が実施される。
2006513889.tif 000002
【特許請求の範囲】
【請求項１】
車両データを無線伝達するための方法であって、データ送出のために設けられている車両データが記憶媒体内に記憶され、車両データ検出の枠内で読み出され、伝送される前記方法において、
走行開始時には、データ送出のために設けられている車両データが記憶媒体内に記憶され又は後の読み出しのために提供され、走行終了時には、走行開始時に記憶装置内に記憶及び／又は提供されているデータの変更及び／又は追加が実施されることを特徴とする方法。
【請求項２】
走行開始時に記憶装置内に記憶及び／又は提供されているデータの変更及び／又は追加が既に走行中に実施され、走行終了時にはデータの更新だけが行われることを特徴とする、請求項１に記載の方法。
【請求項３】
記憶媒体として、可搬形データ記憶媒体、又は、記憶装置を備えた自動車キーが使用されることを特徴とする、請求項１又は２に記載の方法。
【請求項４】
データ伝送が、トランスポンダを介し、又は無線電信、特に自動車電話を介して行われることを特徴とする、請求項１〜３のいずれか一項に記載の方法。
【請求項５】
データ伝送が運転者の命令により始動されることを特徴とする、請求項１〜４のいずれか一項に記載の方法。
【請求項６】
データ伝送が権限授与後に車両外部の命令により行われることを特徴とする、請求項１〜５のいずれか一項に記載の方法。
【請求項７】
データが外部記憶装置上に伝送され、この記憶装置から読み出され、遠隔伝送されることを特徴とする、請求項１〜６のいずれか一項に記載の方法。
【請求項８】
外部記憶装置内のデータがデータ読出後に消去されることを特徴とする、請求項７に記載の方法。
【請求項９】
車両の搭載電気系統が、走行終了後、予め定められている時間のあいだ活動化されたままであることを特徴とする、請求項１〜８のいずれか一項に記載の方法。
【請求項１０】
伝送されたデータがセンタ内で評価され、故障排除プログラムが特にデータパケットを介して車両に逆伝送されることを特徴とする、請求項１〜９のいずれか一項に記載の方法。
【発明の詳細な説明】
【技術分野】
【０００１】
本発明は車両データを無線伝達するための方法に関し、この方法ではデータ送出のために設けられている車両データが記憶媒体内に記憶され、例えば車両診断である車両データ検出の枠内で読み出され、伝送される。
【背景技術】
【０００２】
この種の方法は特許文献１から知られていて、そこでは組込式記憶装置を有する車両キー又はチップカード又はトランスポンダが使用される。この記憶装置は、車両データが接触（コンタクト）又は無線電信を介して伝達される以前に中間記憶装置として車両データのために用いられる。
【０００３】
特許文献２からは、例えば自動車電話である通信接続を介し、自動的に又は運転者の命令により車両データをサービス・ステーションに伝達することが既に知られている。車両識別（タイプ、モデルイヤー、車台ナンバ、ホルダ）のためのデータの存在、更には故障記憶装置、制御装置の内容により、サービス・ステーションが作業の規模を見積もり、期日を提案するので、サービス・ステーションにおける運転者の訪問が短縮される。
【０００４】
特許文献３は同様に無線式診断データ伝達に関し、ここではサービス・エリア内への車両の進入時に診断データを読み出すという考えについても検討されている。車両からの診断データの送信を許可するために車両標識を記憶して含んでいるキーを使用することが提案される。
【０００５】
実際には、例えばキーの場合、中間記憶装置が限られたメモリスペースだけを含んでいて、そのためにこの経路で故障記憶装置データ及び試験データをサービス・ステーションに伝達することが不可能であるということが短所として示されている。キーメモリの拡張はハードウェア及びソフトウェア上の手間をもたらすものであり、記憶装置読込時間は更に長くなる。走行終了時に運転者がキーを性急に引き抜くことは問題を導き得る。
【０００６】
【特許文献１】ドイツ特許出願公開第19948663号明細書
【特許文献２】ドイツ特許出願公開第19650047号明細書
【特許文献３】ドイツ特許出願公開第19545888号明細書
【発明の開示】
【発明が解決しようとする課題】
【０００７】
本発明の基礎を成す課題は、走行終了時に記憶装置（即ちメモリ）内に車両データを読み込む際に時間問題が発生せず且つ低コストで実現される、車両データを無線伝達するための方法を創作することである。
【課題を解決するための手段】
【０００８】
前記の課題は、本発明に従い、請求項１に記載した特徴を有する方法により解決される。他の有利な構成は従属請求項の対象である。
【０００９】
本発明に従う方法の本質的な特徴は、走行開始時にデータの主要部分を記憶する（メモリする）ことである。合目的には、データ送出のために設けられているデータが例えば中央データ記憶装置及び／又は該当記憶媒体（例えばメモリカード、キーメモリ）内に記憶される。走行終了時に追加的なデータを更新するために必要な伝送時間は、既に存在するデータを前もって記憶したことにより短縮されている。例えば、走行距離、新たな故障記憶装置データ、新たなチェック・コントロール・データ又は車両状態データだけが新たに記憶される。
【００１０】
スペース上の理由から中間記憶装置として用いられる記憶媒体内ではないが、更なる伝達のために設けられているデータが主記憶装置即ちボードメモリ内に記憶されている場合、記憶媒体内には対応する情報が記憶され得て、それにより残りのデータが所望の時点に更に呼び出され得る。
【００１１】
この際、使用される車両構成要素（キー内の記憶装置）の製造コストは少なく、適切なインタフェース、例えばブルートゥース・インタフェースだけが設けられればよく、このインタフェースを用い、主記憶装置内に書き込まれているデータが呼び出され得る。つまり車両構成要素及び車両ユニットの記憶された故障動作に関する情報又は他の車両状態データに関する情報が伝達され得て、それによりサービス・アドバイザは工場業務の根拠としてのデータを取得する。これらのデータに基づき、サービス・アドバイザは発生した故障に関して運転者に対して更に質問でき、工場業務を遥かに専門的に提供することができる。工場内のサービス・アドバイザ及びメカニックは彼らの作業において負担軽減される。資格があり且つ車両データを含んでいる依頼の結果として、多くの場合、診断簡略テストが排除され得る。
【００１２】
車両からのデータ伝送のために無線送信機が使用される場合には記憶装置問題は減少されている。例えば、いずれにせよ設けられている内蔵式自動車電話又は対応的に接続されている移動電話が使用され得る。車両の走行中に新たな故障記憶装置データ、チェック・コントロール・データ、又は重要な車両状態データが発生すると、これらのデータは例えばＳＭＳを介してプロバイダに又は例えば中央・ディーラ・コンピュータに送信され、車両の車台ナンバを用いて保存される。これらのデータは、識別に応じて保管され、及び／又は、所望の受信者（ディーラ／サービス・ステーション、コールセンタなど）に直ちに転送され得て、期日が準備される。運転者がサービス・ステーションを訪れると、又は、このことが計画されていると、サービス・ステーションはそれらのデータを例えばプロバイダ・データベースから呼び出すことができる。
【００１３】
この際、場合により、伝送のために設けられているデータの全てがボードメモリから送信されるわけではないということが考慮され得て、この場合、送信されたデータは、呼出可能な他の伝送データがまだあるという情報を含んでいる。
【００１４】
車台ナンバだけが記憶され、その他では故障データだけが伝達されるのであれば、データ保護の問題を伴うことなく車両を継続的に監視し且つデータを対応的に最新状態にすることが可能である。好ましくは、プロバイダ・データベース内に記憶されているデータが例えば読み出し後に消去され、従って、発生する記憶装置コストは比較的僅かで済む。
【００１５】
車両データは運転者命令又はサービス・ステーションの要求によっても構内進入時に送信され得て、サービス・ステーションの中央記憶装置内に記憶され得る。それが速すぎる場合、又は、それが完全ではない場合、又は、最後のデータ伝送以後に追加的なデータが生じている場合、例えば搭載電気系統があと１時間のあいだアクティブのままにされ、それによりボードメモリからまだ伝達されていない残りのデータがサービス・アドバイザ作業スペースから呼び出される。
【００１６】
キー又は中央データ記憶装置から記憶されている車両データ又は部分データが工場に伝達されることも考慮され得て、場合によっては車台ナンバだけである。ディーラ或いはサービス・ステーションは、権限のある限り、中央データ記憶装置又はディーラ・データベースから残りの車両データを呼び出す。運転者がサービス・アドバイザのところにくると、車両データがこのサービス・アドバイザのところにあることになる。
【００１７】
本発明に従う方法は、発生した故障及び異常を、所定の基準、例えば、重要性（安全上の故障、短時間の故障、快適性にとってのみ重要な故障）に応じて分類し、伝送することを可能にする。また摩損データも同時に検出されて伝送され得て、それにより車両状態の判断が改善され、例えば欠陥の発生する以前に部品交換を実施するような、万一の予防措置が施され得る。また故障排除のために例えばサービス・ステーションのようなセンタ内で伝送されたデータを評価した後、故障排除プログラムを有するデータパケットが車両に伝送され得る。このようなプログラムは、その他の場合に必要な工場訪問を後の時点にずらし又はむしろ不必要なものとするために寄与し得る。
【００１８】
更に車両の整備・修理データが中央データベース（例えば、プロバイダ・データベース、ディーラ・コンピュータ）内に保管され得て、各工場は、サービス手帳を見る代りに、この中央データベースにアクセスすることができる。車両所有者にとって、前記の中央コンピュータ（ポータル）に対するインターネット経由の個人的なアクセスがある場合、車両所有者も自分の（車両）整備データに直接的にアクセスできる。従って、それにより全ての情報データ（ディーラ、積算距離値、日付、整備範囲など）が使用可能であるので、通常のサービス手帳は排除される。
【００１９】
本発明に従う他の適用は、例えばメーカ（製造元）のようなセンタからの車両読出（車両試問）にある。メーカは例えば車両状態データをデータ保護規則を守りながら品質管理の目的で読み出すことができる。この経路では例えばソフトウェアアップデートも車両のボードコンピュータ内に取り入れられ得る。
【発明を実施するための最良の形態】
【００２０】
次に本発明に従う方法を２つの実施バリエーションと図面に基づいて更に説明する。
【実施例１】
【００２１】
図１に具体的に示されている本発明に従う方法の実施バリエーションで使用されている車両には、例えば車両診断である車両データ検出のための中央データ記憶装置が装備されている。更にこの車両は内蔵式自動車電話を有し、車両キーには記憶装置も含めてトランスポンダが設けられている。
【００２２】
走行開始時に車両データが車両キーの記憶装置内に書き込まれる。車両データとしては、実質的に、車台ナンバ、積算距離値、故障記憶装置データ、車両状態データ、チェック・コントロール・データがある。走行中に故障又はその他の特別な事象が発生しない場合、走行終了時には車両キーメモリ内の積算距離値だけが更新される。
【００２３】
走行中に異常又は故障が発生すると、該当データが中央データ記憶装置内の故障ファイル内に記憶される。選択的に、キーの記憶装置内に変更データを中間記憶することが行われる。このことは、他の故障又は異常が発生したか否かに応じ、反復される。走行中に行われないのであれば走行終了時に積算距離値の他に車両キーメモリ内の故障データが更新される。
【００２４】
更に、故障データも含めて車両データを故障又は異常の発生と同時に実際に直ちに又は走行の終了時に伝送することが考慮され得る。そのためには自動車電話が使用される。命令は以前のデータ入力を介して行われ得るので、自動的に例えばＳＭＳを介した送信プロセスが始動される。選択的に、運転者に対する通知が出され（光学的な又は音響的な警告信号）、この運転者はデータの即時送信を望むかどうかを決定する。受信者としては、例えば、所定のサービス・ステーション又は車両の現在位置に依存して更に選択すべきサービス・ステーションや、受信したデータを記憶し且つ対応するサービス・ステーションにデータを要求に応じて伝達するコール・センタが考慮対象となる。つまり継続的な品質保証に対する可能性が成される。
【００２５】
運転者がデータを伝送したくない場合、この運転者はデータを車両キーを介してサービス・ステーションに伝達し得る。このことは例えば次のことにより行われる。即ち、運転者が車両キーをサービス・アドバイザに渡し、このサービス・アドバイザがそのキーを読取装置に差し込み、トランスポンダを用いてデータを読み出すことによってである。
【実施例２】
【００２６】
図２に具体的に示されている本発明に従う方法のバリエーションは、以前のバリエーションと比べ、実質的に、データ伝送が車両外部の命令により始動されることにより区別される。中間記憶のような他の方法ステップは図面の明確化の目的で省かれている。
【００２７】
以前に記載した実施バリエーションのように、走行中、発生する故障は車両の中央データ記憶装置、即ち車両のボードコンピュータ内に記憶される。該当車両には車両データ遠隔読出装置が装備されていて、即ち送出可能なデータがボードメモリ内に提供される。例えば、読出権限を有するサービス・ステーション又はメーカからデータ伝送要求が行われると、提供されているデータが伝送される。権限のない第三者から要求が行われる場合、データは伝送されない。
【図面の簡単な説明】
【００２８】
【図１】本発明に従う方法の第１バリエーションの進行経過を具体的に説明するためのフローチャートを示す図である。
【図２】本発明に従う方法の第２バリエーションの進行経過を具体的に説明するためのフローチャートを示す図である。
【図１】
2006513889.tif 000003
【図２】
2006513889.tif 000004
【国際調査報告】
2006513889.tif 000005
2006513889.tif 000006
2006513889.tif 000007
2006513889.tif 000008
2006513889.tif 000009
2006513889.tif 000010